(57)【要約】  【課題】  ワークの形状いかんにかかわらず、ワークを傷付けることなく、所定の確認動作を円滑かつ確実に達成することができる搬送ワーク確認用ストライカを提供する。  【解決手段】ワーク搬送経路の上方部でワーク搬送面１に対して上下姿勢に配置されたレバー２をその上端部付近を支点３としてワーク搬送方向に揺動可能に構成し、この揺動レバー２の下端部に、搬送面１に沿って搬送されてくるワークＷに接触することで該揺動レバー２を搬送方向に揺動傾斜させる接触部材として、ワーク搬送方向に対し直交する軸周りに自由回転可能な円錐形状のローラ１５が取り付けられ、この円錐形状のローラ１５は、円錐部分１５ａの大径部側端に連ねて、その大径部と同径の円柱部分１５ｂが一体に設けられた形状に形成されている。  【選択図】      図３
0003123736.tif 000002
【実用新案登録請求の範囲】
【請求項１】
ワーク搬送経路の上方部でワーク搬送面に対して上下姿勢に配置されたレバーをその上端部付近を支点としてワーク搬送方向に揺動可能に構成し、この揺動レバーの下端部には、前記搬送面に沿って搬送されてくるワークに接触することで該揺動レバーを搬送方向に揺動傾斜させる接触部材が取り付けられているとともに、前記揺動レバーの揺動傾斜を検出するスイッチが設けられている搬送ワーク確認用ストライカであって、
前記接触部材が、ワーク搬送方向に対し直交する軸周りに自由回転可能な円錐形状のローラから構成され、この円錐形状のローラは、円錐部分の大径部側端に連ねて、その大径部と同径の円柱部分が一体に設けられていることを特徴とする搬送ワーク確認用ストライカ。
【請求項２】
前記ローラが、樹脂材料から構成されている請求項１に記載の搬送ワーク確認用ストライカ。
【考案の詳細な説明】
【技術分野】
【０００１】
本考案は、例えば被加工物や部品、製品などの種々のワークを各種コンベヤ上に載せて搬送するとき、そのワークと接触して変位することで該ワークの現在搬送位置や所定位置の通過を検出し確認するために用いられる搬送ワーク確認用ストライカに関するものである。
【背景技術】
【０００２】
この種の搬送ワーク確認用ストライカとして、従来一般には、図６の（ａ）〜（ｃ）に示すように、ワーク搬送経路の上方部でワーク搬送面１に対して垂直な上下姿勢に配置された丸棒状のレバー２をその上端部付近を支点３として白抜き矢印で示すワーク搬送方向に揺動可能に構成し、この揺動レバー２の下端部２ａを直接に、前記搬送面１に沿って搬送されてくるワークＷに接触させることで該揺動レバー２を搬送方向に揺動傾斜させ、この揺動レバー２の揺動傾斜をリミットスイッチ４で検出することにより、搬送位置や通過を確認するように構成されていた。
【０００３】
しかし、このような従来一般のストライカでは、加工面などの平坦上面Ｗｂに凹部や穴があるワークＷを搬送対象とする場合、金属等の硬質材料製のレバー２の下端部２ａが、図６の（ｃ）で示すように、ワークＷの加工面等の上面Ｗｂの凹部や穴に落ち込んでしまって、スイッチ４が不測に非検出状態（ＯＦＦ）に切り替わり、所定の確認動作にミスを生じる可能性がある。
【０００４】
また、上記のような確認動作のミスをなくするために、図７の（ａ），（ｂ）に示すように、揺動レバー２の下端部に幅広くかつ長い舌片状の接触部材５を取り付けることで、前記凹部や穴に落ち込まないようにすることも考えられているが、この場合は、図７の（ｂ）で示すように、舌片状接触部材５の角張ったエッジ部分５ｅがワークＷの加工面などの平坦上面Ｗｂに接触して該上面Ｗｂを傷付けやすい。特に、加工面などの上面が図８に示すような斜面Ｗａに形成されているワークＷを搬送対象とする場合は、舌片状接触部材５の角張ったエッジ部分５ｅがワークＷが通過完了するまで接触し続けるために、その上斜面Ｗａに深くて長い傷を付けることになり、それを避けるためには、上斜面Ｗａの傾斜角度に合わせて、つまり、ワークＷの形状毎に揺動レバー２を図９に示すように斜めに取り付けたり、取り付け角度を調整可能に構成することが必要であり、いずれにしてもコストアップは避けられない。
【０００５】
また、揺動レバー２を斜めに取り付けた場合は、自重により該レバー２が矢印ｆの方向に下がり気味となり、その結果、揺動レバー２の動きが悪くなって、極端な場合は、スイッチ４を所定どおり動作させられず、所定の確認動作が行えない事態を生じかねないという問題がある。
【０００６】
そこで、ワークＷの上面を傷付けない、所定の確認動作を確実なものとするために、従来、揺動レバー２の下端部に取り付ける接触部材として、図１０の（ａ），（ｂ）に示すように、ワーク搬送方向に対し直交する軸周りに自由回転可能な円柱形状のローラ５Ａ、あるいは、図１１に示すように、円錐形状のローラ５Ｂを用いることが考えられていた。
【考案の開示】
【考案が解決しようとする課題】
【０００７】
しかし、円柱形状のローラ５Ａを用いる場合は、加工面などの上面が斜面Ｗａに形成されているワークＷを搬送対象とする場合、図１２に示すように、ローラ５Ａの一側端周縁の一点５ａのみが上斜面Ｗａに接触する点接触となって摩擦が大きくなるため、該ローラ５Ａが上斜面Ｗａに沿って円滑に転動（回転）せず、その結果、上斜面Ｗａに深くて長い傷を付けることを確実に避けることはできないという問題がある。
【０００８】
一方、円錐形状のローラ５Ｂの場合は、上面が斜面Ｗａに形成されているワークＷを搬送対象とする場合でも、ローラ５Ｂの全面をワークＷの上斜面Ｗａに接触させることが可能で摩擦が非常に少なく円滑な転動作用により所定の確認動作を確実に行わせることができる反面、平坦上面Ｗｂを持つワークＷを搬送対象とする場合、図１３に示すように、円錐大径部分の先鋭角部５ｂが平坦上面Ｗｂに当たって欠損し、そのままで使用するとワークＷの上面Ｗｂが傷付くという問題がある。
【０００９】
本考案は上述のような諸実情に鑑みてなされたもので、その目的は、ワークの形状いかんにかかわらず、ワークを傷付けることなく、所定の確認動作を円滑かつ確実に達成することができる搬送ワーク確認用ストライカを提供することにある。
【課題を解決するための手段】
【００１０】
上記目的を達成するために案出された本考案に係る搬送ワーク確認用ストライカは、ワーク搬送経路の上方部でワーク搬送面に対して上下姿勢に配置されたレバーをその上端部付近を支点としてワーク搬送方向に揺動可能に構成し、この揺動レバーの下端部には、前記搬送面に沿って搬送されてくるワークに接触することで該揺動レバーを搬送方向に揺動傾斜させる接触部材が取り付けられているとともに、前記揺動レバーの揺動傾斜を検出するスイッチが設けられている搬送ワーク確認用ストライカであって、前記接触部材が、ワーク搬送方向に対し直交する軸周りに自由回転可能な円錐形状のローラから構成され、この円錐形状のローラは、円錐部分の大径部側端に連ねて、その大径部と同径の円柱部分が一体に設けられていることを特徴としている。
【００１１】
本考案に係る搬送ワーク確認用ストライカにおいて、前記ローラは、樹脂材料から構成されていることが好ましい。
【考案の効果】
【００１２】
上記のごとき特徴構成を有する本考案によれば、揺動レバー下端部の接触部材が自由回転可能な円錐形状のローラであるから、ワークに当接したときの衝撃力をローラの回転によって逃がして傷の発生をなくすることが可能であるとともに、ワークの上面に凹部や穴などがあっても、その凹部や穴に落ち込むことがなく、所定の確認動作にミスを生じることがない。しかも、ローラが単なる円錐形状でなく、円錐部の大径部分側端に連ねて、その大径部分と同径の円柱部分が一体に設けられている形状のものであるから、ワークの上面が斜面の場合は、その上斜面に円錐部を接触させることで円滑な転動作用を発揮させ、また、ワークの上面が平坦な場合は、円柱部分を接触させることにより、ローラの一部を欠損したり、その欠損部がワークに接触することに伴いワークを傷付けたりする不都合をなくすることができる。したがって、揺動レバーを搬送面に対して垂直な面内で揺動可能にするシンプル且つ動作性に優れた構成としながら、ワークの形状いかんにかかわらず、ワークを傷付けることなく、所定のワーク確認動作を円滑かつ確実に達成することができるという効果を奏する。
【考案を実施するための最良の形態】
【００１３】
以下、本考案の実施の形態を、図面を参照しながら説明する。
図１〜図３は、本考案に係る搬送ワーク確認用ストライカの設置部付近の構成を示す平面図、側面図及び正面図であり、ベルトコンベヤなど各種コンベヤ（図示省略する）によるワーク搬送面１の一側下部にワーク搬送方向に沿わせて配置し固定された帯板状支持部材６にワーク搬送方向に位置調節自在に固定の上下筒７内にロッド９をビス８を介して上下方向にスライド固定自在に設け、このロッド９の上端部にＬ字形ブラケット１０を介して搬送ワーク確認用ストライカＳが取り付けられている。
【００１４】
この搬送ワーク確認用ストライカＳは、次のように構成されている。すなわち、前記Ｌ字形ブラケット１０から搬送方向に向けて突出させた取付板１１の先端部に、ワーク搬送経路の上方部で前記ワーク搬送面１に対して垂直な上下姿勢に配置されたレバー２の上端部付近が横軸３を介して枢支されており、これによって、該レバー２は前記横軸３を支点としてワーク搬送方向に揺動可能に構成されている。この揺動レバー２の下端部に支持アーム１２を介して、前記搬送面１に沿って搬送されてくるワークＷに接触することで該揺動レバー２を搬送方向に揺動傾斜させる接触部材としての円錐形状のローラ１５がワーク搬送方向に対し直交する軸１４の周りに自由回転可能に支承されている。
【００１５】
そして、前記揺動レバー２の揺動傾斜に応動して作動するリミットスイッチ４が前記取付板１１に取り付けられており、このリミットスイッチ４の作動検出信号を図示省略する監視部等に伝送することにより、ワークＷの現在の搬送位置や通過を確認できるように構成されている。
【００１６】
前記円錐形状のローラ１５は、図１、図３並びにそれを拡大した図４の断面図に示すように、ボールベアリング１６を介して前記軸１４に円滑回転可能に支承されているとともに、その円錐部分１５ａの大径部側端に連ねて、該大径部と同径で幅の小さい円柱部分１５ｂが一体に設けられている
【００１７】
次に、上記のように構成された搬送ワーク確認用ストライカＳによる確認動作について、略図を用いて説明する。
コンベヤの搬送面１上に載せられて搬送されてくるワークＷが搬送ワーク確認用ストライカＳの設置位置まで到達すると、前記ローラ１５がワークＷに接触し押圧されて揺動レバー２が支点（横軸）３の周りを搬送方向に揺動傾斜され、この揺動傾斜に応動してリミットスイッチ４がＯＮ作動し、その検出信号が監視部等へ伝送されることにより、ワークＷの現在の搬送位置や通過を確認することが可能である。
【００１８】
ここで、上面が斜面ＷａとなっているワークＷを搬送対象とする場合は、図５の（ａ）に示すように、ワークＷの上斜面Ｗａに前記ローラ１５の円錐部分１５ａが全面接触することになり、したがって、ローラ１５を上斜面Ｗａ上で円滑に転動させてワークＷの通過が完了するまで所定の確認動作、すなわち、リミットスイッチ４のＯＮ状態を確実に保持させることができるとともに、ローラ１５周部に形成される先鋭角部でワークＷ自体を傷付けることがない。
【００１９】
また、搬送方向に沿って平坦な上面Ｗｂを有するワークＷを搬送対象とする場合は、図５の（ｂ）に示すように、ワークＷの平坦上面Ｗｂに前記ローラ１５の円柱部分１５ｂが接触することになり、したがって、ローラ１５における円錐部分１５ａの大径部周縁に形成される先鋭角部が平坦上面Ｗｂに当たって欠損したり、その欠損部がワークＷに接触することに伴いワークＷを傷付けたりする不都合を生じることがない。
【００２０】
以上のように、ワーク搬送面１に対して上下姿勢に配置されたレバー２の下端部に取り付けられる接触部材として、単なる円錐形状でなく、円錐部分１５ａの大径部側端に連ねて、その大径部と同径の円柱部分１５ｂが一体に設けられた形状のローラ１５を用いることによって、揺動レバー２を搬送面１に対して垂直な面内で揺動可能にするシンプル且つ動作性に優れた構成としながら、ワークＷの形状いかんにかかわらず、ワークＷの上面Ｗａ，Ｗｂなどを傷付けることなく、所定のワーク確認動作を円滑かつ確実に行うことができる。
【００２１】
特に、前記形状のローラ１５として、摩擦係数が小さく、耐摩耗性、自己潤滑性に優れたナイロンなどの樹脂成形品から構成する場合は、ワークとの接触摩擦抵抗を小さくして所定のワーク確認動作を一層円滑なものにできるとともに、ローラ１５自体の耐久性向上も図ることができる。
【図面の簡単な説明】
【００２２】
【図１】本考案に係る搬送ワーク確認用ストライカの設置部付近の構成を示す平面図である。
【図２】同上搬送ワーク確認用ストライカの設置部付近の構成を示す側面図である。
【図３】同上搬送ワーク確認用ストライカの設置部付近の構成を示す正面図である。
【図４】図１中に丸印を付した箇所の拡大断面図である。
【図５】（ａ），（ｂ）は形状の異なるワークを搬送対象とする場合の動作状態を示す概略正面図である。
【図６】（ａ）〜（ｃ）は従来一般に用いられていた搬送ワーク確認用ストライカの動作状態を示す概略側面図である。
【図７】（ａ），（ｂ）は従来一般の搬送ワーク確認用ストライカの一部改良形のものの動作状態を示す概略側面図である。
【図８】図７に示す改良形搬送ワーク確認用ストライカの動作時の欠点を説明する概略正面図である。
【図９】図７に示す改良形搬送ワーク確認用ストライカの動作時のもう一つの欠点を説明する概略正面図である。
【図１０】（ａ），（ｂ）は従来の搬送ワーク確認用ストライカの一例の動作状態を示す概略側面図である。
【図１１】従来の搬送ワーク確認用ストライカの他の例の動作状態を示す概略正面図である。
【図１２】図１０に示す従来の搬送ワーク確認用ストライカの動作時の欠点を説明する概略正面図である。
【図１３】図１１に示す従来の搬送ワーク確認用ストライカの動作時の欠陥を説明する概略正面図である。
【符号の説明】
【００２３】
１  搬送面
２  揺動レバー
３  支点（横軸）
４  リミットスイッチ
１５  円錐形状ローラ
１５ａ  円錐部分
１５ｂ  円柱部分
Ｓ  搬送ワーク確認用ストライカ
Ｗ  ワーク
Ｗａ  ワーク上斜面
Ｗｂ  ワーク平坦上面  
【図１】
0003123736.tif 000003
【図２】
0003123736.tif 000004
【図３】
0003123736.tif 000005
【図４】
0003123736.tif 000006
【図５】
0003123736.tif 000007
【図６】
0003123736.tif 000008
【図７】
0003123736.tif 000009
【図８】
0003123736.tif 000010
【図９】
0003123736.tif 000011
【図１０】
0003123736.tif 000012
【図１１】
0003123736.tif 000013
【図１２】
0003123736.tif 000014
【図１３】
0003123736.tif 000015